(57)【要約】【課題】ディスプレイの表示を視認するための傾斜角としたままの状態でのメモリカードの取り出しを抑止する「情報処理装置」を提供する。【解決手段】 ディスプレイパネル２の後面に後方に延びた保護部材２３を、ディスプレイパネル２と本体部１の前面とが対向して平行となったときに、前後方向に見て、本体部１の前面のカードスロット１２の上方と側方を囲むように設ける。ディスプレイパネル２の表示を視認するための傾斜角である本体部１に対して傾いていないか少しのみ傾いている傾斜角においては、保護部材２３によって、カードスロット１２が上方と側方に対して遮られ、ユーザが隙間にや指を差し入れて、カードスロット１２に装着してあるメモリカード１００を取り外すことを抑止される。【選択図】図３
2018203151.tif 000002
【特許請求の範囲】
【請求項１】
本体部と、当該本体部の前面の前方に本体部の前面との間に隙間をあけて配置されたディスプレイパネルとを備えた情報処理装置であって、
前記ディスプレイパネルは、ディスプレイパネルと本体部の前面とが対向してディスプレイパネルによって本体部の前面が前方から見て覆われる第１の傾斜角と、ディスプレイパネルが本体部の前面に対して傾いて本体部の前面の少なくとも一部が前方から見て露出する第２の傾斜角の間で、本体部の前面に対する傾斜を変更可能に前記本体部によって支持されており、
前記本体部の前面には、記憶媒体を挿抜するためのスロットが設けられており、
前記ディスプレイパネルの後面には、当該ディスプレイの傾斜角が前記第１の傾斜角にあるときに、後端が前記スロットもしくは前記スロットの近傍の位置に近接し、前記隙間を通っての前記スロットへの接近もしくは前記スロットに装着された記憶媒体の取り出し操作を遮る保護部材が設けられていることを特徴とする情報処理装置。
【請求項２】
本体部と、当該本体部の前面の前方に本体部の前面との間に隙間をあけて配置されたディスプレイパネルとを備えた情報処理装置であって、
前記ディスプレイパネルは、ディスプレイパネルと本体部の前面とが対向してディスプレイパネルによって本体部の前面が前方から見て覆われる第１の傾斜角と、ディスプレイパネルが本体部の前面に対して傾いて本体部の前面の少なくとも一部が前方から見て露出する第２の傾斜角の間で、本体部の前面に対する傾斜を変更可能に前記本体部によって支持されており、
前記本体部の前面には、記憶媒体を挿抜するためのスロットが設けられており、
前記ディスプレイパネルの後面には、当該ディスプレイの傾斜角が前記第１の傾斜角にあるときに、後端が前記本体部の前面に近接するように、前記ディスプレイパネルの後面から後方に延ばした保護部材が設けられており、
前記保護部材は、前記ディスプレイの傾斜角が前記第１の傾斜角にあるときに、前方から見て、前記本体部の前面の前記スロットの周囲となる部分の少なくとも一部に重なる形状を有していることを特徴とする情報処理装置。
【請求項３】
請求項２記載の情報処理装置であって、
前記保護部材は、前記ディスプレイの傾斜角が前記第１の傾斜角にあるときに、前方から見て、前記本体部の前面の前記スロットの上方の部分と、前記本体部の前面の前記スロットの側方の部分とに重なる形状を有していることを特徴とする情報処理装置。
【請求項４】
本体部と、当該本体部の前面の前方に本体部の前面との間に隙間をあけて配置されたディスプレイパネルとを備えた情報処理装置であって、
前記ディスプレイパネルは、ディスプレイパネルと本体部の前面とが対向してディスプレイパネルによって本体部の前面が前方から見て覆われる第１の傾斜角と、ディスプレイパネルが本体部の前面に対して傾いて本体部の前面の少なくとも一部が前方から見て露出する第２の傾斜角の間で、本体部の前面に対する傾斜を変更可能に前記本体部によって支持されており、
前記本体部は、
本体部の前面に設けられた、記憶媒体を挿抜するためのスロットと、
前記スロットの前方を覆う第１の位置と、前記スロットを前方に露出する第２の位置との間で移動可能に本体部に支持された蓋部材と、
前記ディスプレイの傾斜角の変化に連動して、前記蓋部材を移動する移動機構とを有し、
前記移動機構は、前記ディスプレイの傾斜角が前記第１の傾斜角であるときに前記蓋部材の位置が前記第１の位置となり、前記ディスプレイの傾斜角が前記第２の傾斜角であるときに前記蓋部材の位置が前記第２の位置となるように、前記蓋部材を移動することを特徴とする情報処処理装置。
【請求項５】
請求項４記載の情報処理装置であって、
前記移動機構は、前記ディスプレイの傾斜角が前記第１の傾斜角から前記第２の傾斜角に変化するに伴い、前記蓋部材の位置を前記第１の位置から前記第２の位置に移動することを特徴とする情報処処理装置。
【請求項６】
請求項１、２、３、４または５記載の情報処理装置であって、
当該情報処理装置は、前記本体部が自動車に設けられているポケット状のスペースである収容部に装着される、車載の情報処理装置であることを特徴とする情報処理装置。
【発明の詳細な説明】
【技術分野】
【０００１】
本発明は、ディスプレイを備えた情報処理装置に関するものである。
【背景技術】
【０００２】
ディスプレイを備えた情報処理装置に関する技術としては、本体部と、本体部の前面を覆う位置から本体部の前面を露出する位置まで本体部に対して傾斜可能に設けられたディスプレイとを備えた車載理装置において、本体部の前面を覆う位置から本体部の前面を露出する位置へのディスプレイの傾斜角の変更を指示するユーザ操作が発生したときに、本体部の前面に設けたメモリカードスロットに装着されたメモリカードのデータへのアクセスを終了した上で、ディスプレイの傾斜動作を開始することにより、データアクセス中のメモリカードの取り外しを抑止する技術が知られている（たとえば、特許文献１）。
【０００３】
また、ディスプレイを備えた情報処理装置としては、自動車のインスツルメントパネルに設けられている取付スペースに収容された形態で配置される本体部と、本体部の前面の前方に本体部の前面との間に隙間をあけて配置した、本体部に対して傾斜可能なディスプレイを備えた車載装置が知られている（たとえば、特許文献２）。
【先行技術文献】
【特許文献】
【０００４】
【特許文献１】特開２００５-２５５００５号公報
【特許文献２】特許第５９９１５０１号公報
【発明の概要】
【発明が解決しようとする課題】
【０００５】
上述した本体部の前面の前方に本体部の前面との間に隙間をあけて配置した、本体部に対して傾斜可能なディスプレイを備えた車載装置によれば、ディスプレイのサイズが、取付スペースの大きさに限定されずに大型化することができる。
【０００６】
しかし、この車載装置において、本体部の前面にメモリカードスロットを設けた場合、ユーザが、ディスプレイの傾斜角を、ディスプレイをディスプレイの表示を視認するための傾斜角に維持したまま、ディスプレイと本体部の前面の隙間に手を入れて、メモリカードスロットからメモリカードを取り出してしまうことが可能となる場合がある。
【０００７】
また、この場合には、ディスプレイの傾斜角の変更を指示するユーザ操作は発生しないので、上述したディスプレイの傾斜角の変更を指示するユーザ操作に応じてメモリカードのデータへのアクセスを終了した上でディスプレイの傾斜動作を開始する技術によっては、データアクセス中のメモリカードの取り外しを抑止することができない。また、ディスプレイの傾斜角の変更も発生しないので、ディスプレイの傾斜角の変化を検出してメモリカードのデータへのアクセスを終了することにより、データアクセス中のメモリカードの取り外しを抑止することもできない。
【０００８】
そして、このようなメモリカードの取り出しがメモリカードのデータへのアクセス中に行われると、メモリカードのデータの破損等の不具合が発生してしまうことがある。
そこで、本発明は、本体部の前面の前方に本体部の前面との間に隙間をあけて配置した、本体部に対して傾斜可能なディスプレイを備えた情報処理装置において、ディスプレイをディスプレイの表示を視認するための傾斜角としたままの状態での、本体部前面に設けたメモリカードスロットからのメモリカードの取り出しを抑止することを課題とする
【課題を解決するための手段】
【０００９】
前記課題達成のために、本発明は、本体部と、当該本体部の前面の前方に本体部の前面との間に隙間をあけて配置されたディスプレイパネルとを備えた情報処理装置を提供する。ここで、前記ディスプレイパネルは、ディスプレイパネルと本体部の前面とが対向してディスプレイパネルによって本体部の前面が前方から見て覆われる第１の傾斜角と、ディスプレイパネルが本体部の前面に対して傾いて本体部の前面の少なくとも一部が前方から見て露出する第２の傾斜角の間で、本体部の前面に対する傾斜を変更可能に前記本体部によって支持されており、前記本体部の前面には、記憶媒体を挿抜するためのスロットが設けられている。そして、前記ディスプレイパネルの後面には、当該ディスプレイの傾斜角が前記第１の傾斜角にあるときに、後端が前記スロットもしくは前記スロットの近傍の位置に近接し、前記隙間を通っての前記スロットへの接近もしくは前記スロットに装着された記憶媒体の取り出し操作を遮る保護部材が設けられている。
【００１０】
また、前記課題達成のために、本発明は、本体部と、当該本体部の前面の前方に本体部の前面との間に隙間をあけて配置されたディスプレイパネルとを備えた情報処理装置を提供する。ここで、前記ディスプレイパネルは、ディスプレイパネルと本体部の前面とが対向してディスプレイパネルによって本体部の前面が前方から見て覆われる第１の傾斜角と、ディスプレイパネルが本体部の前面に対して傾いて本体部の前面の少なくとも一部が前方から見て露出する第２の傾斜角の間で、本体部の前面に対する傾斜を変更可能に前記本体部によって支持されており、前記本体部の前面には、記憶媒体を挿抜するためのスロットが設けられている。そして、前記ディスプレイパネルの後面には、当該ディスプレイの傾斜角が前記第１の傾斜角にあるときに、後端が前記本体部の前面に近接するように、前記ディスプレイパネルの後面から後方に延ばした保護部材が設けられており、前記保護部材は、前記ディスプレイの傾斜角が前記第１の傾斜角にあるときに、前方から見て、前記本体部の前面の前記スロットの周囲となる部分の少なくとも一部に重なる形状を有している。
【００１１】
ここで、このような情報処理装置において、前記保護部材は、前記ディスプレイの傾斜角が前記第１の傾斜角にあるときに、前方から見て、前記本体部の前面の前記スロットの上方の部分と、前記本体部の前面の前記スロットの側方の部分とに重なる形状を有しているものとしてもよい。
【００１２】
このような情報処理装置によれば、一般的なディスプレイの表示を視認するための傾斜角である、ディスプレイパネルと本体部の前面とが対向してディスプレイパネルによって本体部の前面が前方から見て覆われる第１の傾斜角にディスプレイパネルがあるときには、保護部材がスロットに近接した位置に配置されて、隙間を通ってのスロットへの接近もしくはスロットに装着された記憶媒体の取り出し操作を遮るので、スロットから記憶媒体を取り出すことはできなくなる。一方で、ディスプレイパネルが本体部の前面に対して傾いて本体部の前面の少なくとも一部が前方から見て露出する第２の傾斜角までディスプレイを傾斜させれば、保護部材はディスプレイパネルと共に移動して、スロットへの接近及びスロットに装着された記憶媒体の取り出し操作を遮らなくなるので、スロットから記憶媒体を取り出しを支障なく行うことができるようになる。
【００１３】
よって、本情報処理装置によれば、ディスプレイをディスプレイの表示を視認するための傾斜角としたままの状態での、スロットからの記憶媒体の取り出しを抑止することができる。
【００１４】
また、前記課題達成のために、本発明は、本体部と、当該本体部の前面の前方に本体部の前面との間に隙間をあけて配置されたディスプレイパネルとを備えた情報処理装置を提供する。ここで、前記ディスプレイパネルは、ディスプレイパネルと本体部の前面とが対向してディスプレイパネルによって本体部の前面が前方から見て覆われる第１の傾斜角と、ディスプレイパネルが本体部の前面に対して傾いて本体部の前面の少なくとも一部が前方から見て露出する第２の傾斜角の間で、本体部の前面に対する傾斜を変更可能に前記本体部によって支持されており、前記本体部は、本体部の前面に設けられた、記憶媒体を挿抜するためのスロットと、前記スロットの前方を覆う第１の位置と、前記スロットを前方に露出する第２の位置との間で移動可能に本体部に支持された蓋部材と、前記ディスプレイの傾斜角の変化に連動して、前記蓋部材を移動する移動機構とを備えている。そして、前記移動機構は、前記ディスプレイの傾斜角が前記第１の傾斜角であるときに前記蓋部材の位置が前記第１の位置となり、前記ディスプレイの傾斜角が前記第２の傾斜角であるときに前記蓋部材の位置が前記第２の位置となるように、前記蓋部材を移動する。
【００１５】
ここで、このような情報処理装置は、前記移動機構を、前記ディスプレイの傾斜角が前記第１の傾斜角から前記第２の傾斜角に変化するに伴い、前記蓋部材の位置を前記第１の位置から前記第２の位置に移動するものとしてもよい。
【００１６】
このような情報処理装置によれば、一般的なディスプレイの表示を視認するための傾斜角である、ディスプレイパネルと本体部の前面とが対向してディスプレイパネルによって本体部の前面が前方から見て覆われる第１の傾斜角にディスプレイパネルがあるときには、蓋部材によってスロットが覆われるので、スロットから記憶媒体を取り出すことはできなくなる。一方で、ディスプレイパネルが本体部の前面に対して傾いて本体部の前面の少なくとも一部が前方から見て露出する第２の傾斜角までディスプレイを傾斜させれば、蓋部材は移動してスロットが露出し、スロットから記憶媒体を取り出しを支障なく行うことができるようになる。
【００１７】
よって、本情報処理装置によれば、ディスプレイをディスプレイの表示を視認するための傾斜角としたままの状態での、スロットからの記憶媒体の取り出しを抑止することができる。
【００１８】
ここで、以上の角情報処理装置は、前記本体部が自動車に設けられているポケット状のスペースである収容部に装着される、車載の情報処理装置であってよい。
【発明の効果】
【００１９】
以上のように、本発明によれば、本体部の前面の前方に本体部の前面との間に隙間をあけて配置した、本体部に対して傾斜可能なディスプレイを備えた情報処理装置において、ディスプレイをディスプレイの表示を視認するための傾斜角としたままの状態での、本体部前面に設けたメモリカードスロットからのメモリカードの取り出しを抑止することができる。
【図面の簡単な説明】
【００２０】
【図１】本発明の第１実施形態に係る車載装置の構成を示す図である。
【図２】本発明の第１実施形態に係る車載装置の構成を示す図である。
【図３】本発明の第１実施形態に係る車載装置のディスプレイパネルの開閉動作を示す図である。
【図４】本発明の第１実施形態に係る車載装置を自動車に搭載したようすを示す図である。
【図５】本発明の第１実施形態に係る車載装置の傾斜検出の機構を示した図である。
【図６】本発明の第２実施形態に係る車載装置の構成を示す図である。
【発明を実施するための形態】
【００２１】
以下、本発明に係る情報処理装置について、自動車に搭載される車載装置への適用を例にとり説明する。
まず、第１の実施形態について説明する。
図１に本第１実施形態に係る車載装置の構成を示す。
ここで、図１中、図１ａは車載装置の上面を、図１ｂは車載装置の前面を、図１ｃは車載装置の側面を表している。
図示するように車載装置は、本体部１と、ディスプレイパネル２を備えている。
ここで、以下では、図１ａ、ｂ、ｃに示した上下前後左右方向を、本体部１とディスプレイパネル２の上下前後左右方向として説明を行う。
さて、ディスプレイパネル２は本体部１の前面の前方に配置されており、その上下左右方向の大きさは、本体部１の左右上下方向の大きさよりも大きい。また、ディスプレイパネル２は、ディスプレイパネル２の前面を表示面とするディスプレイ２１と、ディスプレイ２１の下に配置された複数のキー２２とを備えている。
【００２２】
そして、ディスプレイパネル２は、ディスプレイパネル２の下方の位置にある左右方向の軸を回転軸として本体部１に対して回動可能に本体部１に連結されており、図１ｄに示すように、ディスプレイパネル２は、ディスプレイパネル２と本体部１の前面とが対向して平行となってディスプレイパネル２によって本体部１の前面が前方から見て覆われる傾斜角と、ディスプレイパネル２が本体部１の前面に対して傾いて本体部１の前面の上方部分が前方から見て露出する傾斜角の間で、本体部１に対する傾斜角を変更することができる。
【００２３】
また、ディスプレイパネル２と本体部１の連結は、図１ｃに示したディスプレイパネル２と本体部１の前面とが対向して平行となる状態において、ディスプレイパネル２の後面と本体部１の前面との間に前後方向の隙間が生じるように行われている。
【００２４】
次に、図２ａに、ディスプレイパネル２を取り外したときの本体部１の前面を示すように、本体部１の前面の上方部分にはDVDやCDなどの記録ディスクを本体部１に出し入れするためのディスクスロット１１と、メモリカードを本体部１に出し入れするためのカードスロット１２、複数のキー１３が設けられている。なお、図中の１４はディスプレイパネル２を回動可能に支持する支持部であり、１５はディスプレイパネル２と本体部１との間で電力や各種信号を送受するためのフラットケーブルである。
【００２５】
そして、図１ｄに示したようにディスプレイパネル２を本体部１の前面に対して傾けると、図２ｂに示すように、本体部１の前面の上方部分に設けられているディスクスロット１１、カードスロット１２、キー１３が前方から見て露出し、ユーザが、前方から、ディスクスロット１１に記録ディスクを出し入れしたり、カードスロット１２にメモリカードを出し入れしたり、キー１３の操作を行ったりすることができるようになる。
【００２６】
次に、図２ｃに本体部１を取り外して見たディスプレイパネル２の後面を示すように、ディスプレイパネル２の後面には、後方に伸びた、前後方向を法線とする面による断面が下方に開いたコの字形状の保護部材２３が設けられている。
【００２７】
なお、図２ｃ中の２４は、本体部１の支持部に回動可能に軸支される連結部であり、１５は上述したフラットケーブルである。
さて、ディスプレイパネル２の後面に設けた保護部材２３の大きさ、形状、配置は、図１ｃに示したディスプレイパネル２と本体部１の前面とが対向して平行となる状態において、保護部材２３の後端が本体部１の前面に近接し、かつ、図２ｄに示すように、前後方向に見て、保護部材２３が、カードスロット１２の上方と左方と右方を囲むように設定されている。
【００２８】
したがって、図３ａに示したディスプレイパネル２と本体部１の前面とが平行となる状態や、図３ｂに示したディスプレイパネル２を図３ａの状態から少し傾けた状態では、上方や側方からのカードスロット１２に対するユーザの操作は、保護部材２３によって遮られて行うことができなくなる。
【００２９】
そして、図３ｃに示した、ディスプレイパネル２を本体部１に対して大きく傾けた場合にのみ、ユーザはカードスロット１２にアクセスして、カードスロット１２にメモリカード１００を出し入れすることができるようになる。
【００３０】
ここで、図４ａに車載装置を自動車に搭載したようすを示す。
図示するように、車載装置は、自動車のインスツルメントパネルに設けられている取付スペース４００（DINスペース４００）に本体部１を収容、固定することにより自動車に搭載される。
【００３１】
ここで、本車載装置において、ディスプレイパネル２は、本体部１の前面の前方に、ディスプレイパネル２の後面と本体部１の前面との間に隙間をあけて配置しているので、図４ｂに自動車に搭載した車載装置を左右方向に見たようすを模式的に示すように、ディスプレイパネル２は取付スペース４００の前方に位置することとなり、ディスプレイパネル２の上下左右方向のサイズが、取付スペース４００の上下左右方向のサイズより大きくても干渉することはない。
【００３２】
さて、このように車載装置が自動車に搭載されている車載装置において、ユーザは、ディスプレイパネル２が本体部１に対して傾いていないか少しのみ傾いている状態で、ディスプレイパネル２の表示を利用する。以下では、このディスプレイパネル２の表示を利用するときと同じ傾きにディスプレイパネル２がある状態、すなわち、本体部１に対して傾いていないか少しのみ傾いているディスプレイパネル２の状態を、便宜上、「通常状態」と呼んで説明を行う。
【００３３】
図４ｃに示すように、上述した保護部材２３が設けられていない場合、ユーザがディスプレイパネル２を通常状態のまま、ディスプレイパネル２と本体部１の間の隙間にユーザが手や指を差し入れて、カードスロット１２に装着してあるメモリカード１００を取り外してしまう懸念がある。特に、ディスプレイパネル２を本体部１に対して少し傾いている場合、カードスロット１２が設けられている上部においてディスプレイパネル２と本体部１の隙間が拡大するので、当該懸念は増大する。
【００３４】
しかし、本第１実施形態によれば、図４ｂに示すように、ディスプレイパネル２が通常状態にあるときには、保護部材２３によって、カードスロット１２が上方と側方に対して遮られているので、ユーザが隙間にや指を差し入れてカードスロット１２にアクセスして、カードスロット１２に装着してあるメモリカード１００を取り外すことはできない。
【００３５】
したがって、本第１実施形態によれば、ユーザがディスプレイパネル２を通常状態としたまま、ディスプレイパネル２の傾きを変更することなく、カードスロット１２に装着してあるメモリカード１００を取り外してしまうことを抑止することができる。よって、ディスプレイパネル２が通常状態にある期間中、データにアクセス中のメモリカード１００の取り出しを抑止することができる。
【００３６】
さて、このように、本第１実施形態に係る車載装置では、ユーザがディスプレイパネル２を通常状態としたまま、カードスロット１２に装着してあるメモリカード１００を取り外すことができないので、ユーザは、図３ｃに示すようにディスプレイパネル２を本体部１に対して大きく傾けた後に、カードスロット１２に装着してあるメモリカード１００を取り外すこととなる。
【００３７】
以下、このディスプレイパネル２を本体部１に対して大きく傾けた後のメモリカード１００を取り外しが、メモリカード１００のデータにアクセス中に行われないようにするための車載装置の処理、構成について説明する。
【００３８】
まず、ディスプレイパネル２の傾きの変更を手動で行うように車載装置を構成した場合には、本体部１にディスプレイパネル２の傾斜角を検出する機能を設ける。そして、ディスプレイパネル２の傾斜角の変化が発生したとき、もしくは、傾斜角が所定角度以上大きくなったときに、メモリカード１００のデータにアクセス中であれば、当該データへのアクセスを終了する。但し、メモリカード１００として読み出しアクセス中の取り外しによってメモリカード１００のデータの破損などが生じないメモリカード１００を用いる場合には、メモリカード１００に書き込みアクセス中である場合のみ、当該書き込みアクセスを終了するようにしてもよい。
【００３９】
なお、ディスプレイパネル２の傾斜角は、図３ａのディスプレイパネル２と本体部１の前面が平行なときの角度を０度として、図３ａ、ｂ、ｃの図上で半時計回りとなる方向に測る。すなわち、傾斜角は、図３ａ、ｂ、ｃと順次傾斜角が大きくなるように測る。
【００４０】
ここで、ディスプレイパネル２の傾斜角は、たとえば、図５ａ１、ａ２に示すように、ワイヤの端をディスプレイパネル２に固定したワイヤ式リニアエンコーダ３００を本体部１に設け、ワイヤ式リニアエンコーダ３００で検出したワイヤの引き出し量を傾斜角に変換することにより検出することができる。
【００４１】
また、ディスプレイパネル２の傾きの変更を電動で行うように車載装置を構成した場合には、ディスプレイパネル２の前面に、ディスプレイパネル２の全開指示受付用のキー２２を設け、当該キー２２の操作が発生したときに、メモリカード１００のデータにアクセス中であれば、当該データへのアクセスを終了し、ディスプレイパネル２を最大傾斜角まで電動で回転させる。ただし、当該キー２２の操作が発生したときに、メモリカード１００に書き込みアクセス中である場合のみ、当該書き込みアクセスを終了するようにしてもよい。
【００４２】
なお、この場合、ディスプレイパネル２の傾斜角の復帰は、本体部１の前面に全閉指示受付用のキー１３を設け、当該キー１３の操作が発生したときに、ディスプレイパネル２を最小傾斜角まで電動で回転させる。
【００４３】
なお、ディスプレイパネル２の傾きの変更は、たとえば、図５ｂ１、ｂ２に示すように、ディスプレイパネル２の下部を押し引きするボールネジ機構３１０とボールネジ機構３１０を駆動するモータ３２０を本体部１に設け、当該モータ３２０の回転を制御することにより実現できる。
【００４４】
以上、本発明の第１実施形態について説明した。
ところで、以上の第１実施形態では、保護部材２３を、ディスプレイパネル２と本体部１の前面とが対向して平行となる状態において、前後方向に見て、本体部１の前面のカードスロット１２の上方と左方と右方を囲むものとしたが、保護部材２３は、ディスプレイパネル２と本体部１の前面とが平行となる状態において、前後方向に見て、本体部１の前面のカードスロット１２の上下左右方向の全てを取り囲む形状となるものとしたり、前後方向に見て、本体部１の前面のカードスロット１２と重なる形状を有するものとするなど、ディスプレイパネル２と本体部１の前面とが平行となる状態において、ディスプレイパネル２と本体部１の間の隙間を通ってのカードスロット１２への接近もしくはカードスロット１２に装着されたメモリカード１００の取り出し操作を遮ることのできるものであれば任意の形状としてよい。ただし、前後方向に見て、本体部１の前面のカードスロット１２と重ならない形状とすることが、カードスロット１２にメモリカード１００が半分挿入された状態で、ディスプレイパネル２の傾斜角が変更された場合にも、メモリカード１００に保護部材２３が衝突しないようにする上では好ましい。
【００４５】
以下、本発明の第２実施形態について説明する。
本第２実施形態に係る車載装置は、第１実施形態に係る車載装置において保護部材２３に代えて、蓋部材と蓋部材を移動する移動機構とを備えたものである。
【００４６】
図６ａ１、ａ２に、ディスプレイパネル２を取り外したときの本体部１の前面を示したように、蓋部材６１は、本体部１の前面に、カードスロット１２を覆う位置とカードスロット１２を露出させる位置の間をガイド溝６２に沿って、上下にスライド可能に本体部１に支持されてている。
【００４７】
また、移動機構は、図６ｂ１、ｂ２に側方から見たようすを、図６ｂ３に上方から見たようすを示すように、ディスプレイパネル２に固定された第１スプロケット６３、本体部１に回転可能に設けられた第２スプロケット６４と第３スプロケット６５、蓋部材６１に連結されたラック６６とを備え、第１スプロケット６３と第２スプロケット６４、第２スプロケット６４と第３スプロケット６５はそれぞれローラチェーンで連結されており、第３スプロケット６５とラック６６は歯合している。
【００４８】
このような移動機構の構成において、ディスプレイパネル２の傾斜に伴ってディスプレイパネル２に固定された第１スプロケット６３は回転し、第１スプロケット６３の回転に連動して、第２スプロケット６４と第３スプロケット６５が回転し、第３スプロケット６５の回転に伴って、ラック６６が上下に移動する。
【００４９】
そして、これによってラック６６に連結された蓋部材６１が、ディスプレイパネル２の傾斜角が大きくなるほど下方に移動する。ここで、蓋部材６１の移動位置は、図６ｂ１に示すようにディスプレイパネル２と本体部１の前面が平行な状態で、図６ａ１に示すように蓋部材６１がカードスロット１２を覆う最上方位置となり、ディスプレイパネル２が本体部１に対して最大傾斜角傾いた状態で図６ａ２に示すように蓋部材６１がカードスロット１２の下方に移動してカードスロット１２が完全に露出する最下方位置となるように設定している。
【００５０】
このような第２実施形態によっても、ディスプレイパネル２が通常状態にあるときには、蓋部材６１によってカードスロット１２が覆われているので、ユーザが隙間にや指を差し入れてカードスロット１２にアクセスして、カードスロット１２に装着してあるメモリカード１００を取り外してしまうことを抑止することができる。
【００５１】
したがって、本第２実施形態においても、ユーザは、ディスプレイパネル２を本体部１に対して大きく傾けた後に、カードスロット１２に装着してあるメモリカード１００を取り外すこととなる。
【００５２】
そして、本第２実施形態の、このディスプレイパネル２を本体部１に対して大きく傾けた後のメモリカード１００を取り外しが、メモリカード１００のデータにアクセス中に行われないようにするための車載装置の処理、構成は、上述した第１実施形態の処理、構成と同様である。
【００５３】
以上、本発明の第２実施形態について説明した。
【符号の説明】
【００５４】
１…本体部、２…ディスプレイパネル、１１…ディスクスロット、１２…カードスロット、１３…キー、２１…ディスプレイ、２２…キー、２３…保護部材、６１…蓋部材、６２…ガイド溝、６３…第１スプロケット、６４…第２スプロケット、６５…第３スプロケット、６６…ラック、１００…メモリカード、３００…ワイヤ式リニアエンコーダ、３１０…ボールネジ機構、３２０…モータ、４００…取付スペース。
【図１】
2018203151.tif 000003
【図２】
2018203151.tif 000004
【図３】
2018203151.tif 000005
【図４】
2018203151.tif 000006
【図５】
2018203151.tif 000007
【図６】
2018203151.tif 000008